(57)【要約】  本発明は、携帯可能なハンドヘルド型のセキュリティ装置（１０）を提供している。このセキュリティ装置は、メモリストレージ装置（１４）、ビデオ表示画面（１８）、少なくとも１つのカメラ（３８）、送信装置（２６）、受信装置（２８）、入力装置（１６）、及び電源と、通信状態にある中央処理ユニット（１２）を有している。本セキュリティ装置（１０）は、閉鎖された容器内の対象の物体を識別するための超広帯域地中レーダー（３４）及び／又はミリメートル波レーダーをもたらす装置を更に有している。更には、送信装置（２６）及び受信装置（２８）は、理想的には、利用可能な通信ネットワーク信号間において選択し、所与の時点における最良の信号であるネットワーク信号を判定すると共に、利用可能な信号間において自動的に切り換わることによって最適な受信及び送信品質を維持する能力を有している。入力装置（１６）は、ユーザーインターフェイス制御装置の第１の組（２２）と、ユーザーインターフェイス制御装置の第２の組（２４）を具備しており、これらの制御装置の組（２２、２４）は、独立的に又は同時に、ユーザーによって選択的に操作可能である。【特許請求の範囲】
【請求項１】
メモリストレージ装置、ビデオ表示画面、少なくとも１つのカメラ、送信装置、受信装置、入力装置、電源、並びに、隠蔽された物体を探知するための少なくとも１つのタイプのレーダーをもたらすと共に前記隠蔽された物体の画像を前記ビデオ表示画面上に生成する装置と、通信状態にある中央処理ユニットを有する携帯可能なハンドヘルド型のセキュリティ装置。
【請求項２】
前記セキュリティ装置は、手荷物バッグ内の高密度の物体を探知するべく使用可能である請求項１記載のセキュリティ装置。
【請求項３】
前記セキュリティ装置は、閉鎖された容器内の対象の物体を識別するべく使用可能である請求項１記載のセキュリティ装置。
【請求項４】
前記セキュリティ装置は、隠蔽された生命体を探知するべく使用可能である請求項１記載のセキュリティ装置。
【請求項５】
前記セキュリティ装置は、デジタルフルモーションビデオ及びスチール画面画像のキャプチャ、記録、及び処理を含む請求項１記載のセキュリティ装置。
【請求項６】
前記セキュリティ装置は、音響生成装置及び音響記録装置を含む請求項１記載のセキュリティ装置。
【請求項７】
前記セキュリティ装置は、バイオメトリックセンサを含む請求項１記載のセキュリティ装置。
【請求項８】
前記セキュリティ装置は、バーコード読取機能を含む請求項１記載のセキュリティ装置。
【請求項９】
前記セキュリティ装置は、ＲＦＩＤ読取装置及び問合せ装置を含む請求項１記載のセキュリティ装置。
【請求項１０】
前記セキュリティ装置は、グローバルポジショニングシステムを含む請求項１記載のセキュリティ装置。
【請求項１１】
前記ビデオ表示画面は、タッチスクリーンである請求項１記載のセキュリティ装置。
【請求項１２】
前記ビデオ表示画面は、直接的なフリーハンドによる描画入力をサポートする請求項１記載のセキュリティ装置。
【請求項１３】
前記セキュリティ装置は、２つのデジタルカメラを有しており、少なくとも１つのカメラは、赤外光において画像をキャプチャする機能を具備する請求項１記載のセキュリティ装置。
【請求項１４】
前記レーダーは、超広帯域地中レーダーである請求項１記載のセキュリティ装置。
【請求項１５】
前記レーダーは、ミリメートル波レーダーである請求項１記載のセキュリティ装置。
【請求項１６】
前記レーダーは、超広帯域地中レーダー及びミリメートル波レーダーである請求項１記載のセキュリティ装置。
【請求項１７】
メモリストレージ装置、ビデオ表示画面、少なくとも１つのカメラ、送信装置、受信装置、入力装置、及び電源と、通信状態にある中央処理ユニットを有しており、
前記送信装置及び前記受信装置は、利用可能な通信ネットワーク信号間において選択し、所与の時点における最良の信号であるネットワーク信号を判定すると共に、前記利用可能な信号間において自動的に切り換わることによって最適な受信及び送信品質を維持する能力を有する携帯可能なハンドヘルド型のセキュリティ装置。
【請求項１８】
前記セキュリティ装置は、セキュリティロックアウトシステムを含む請求項１７記載のセキュリティ装置。
【請求項１９】
送信及び受信は、インターネット接続上において実行される請求項１７記載のセキュリティ装置。
【請求項２０】
前記セキュリティ装置は、前記送信装置及び受信装置がイネーブルされるかどうかを操作する請求項１７記載のセキュリティ装置。
【請求項２１】
前記装置は、Ｍｉｌｉｔａｒｙ  Ｓｔａｎｄａｒｄ  ８１０Ｆに従って実行される試験を満足する請求項１７記載のセキュリティ装置。
【請求項２２】
メモリストレージ装置、ビデオ表示画面、少なくとも１つのカメラ、送信装置、受信装置、マルチ周波数アンテナ、入力装置、及び電源と、通信状態にある中央処理ユニットを有しており、
前記入力装置は、ユーザーインターフェイス制御装置の第１の組と、ユーザーインターフェイス制御装置の第２の組と、を具備しており、前記ユーザーインターフェイス制御装置の第１及び第２の組は、独立的に又は同時に、ユーザーによって選択的に操作可能である携帯可能なハンドヘルド型のセキュリティ装置。
【請求項２３】
前記ビデオ表示画面は、タッチスクリーンである請求項２２記載のセキュリティ装置。
【請求項２４】
前記ビデオ表示画面は、直接的なフリーハンドによる描画入力をサポートしている請求項２２記載のセキュリティ装置。
【請求項２５】
メモリストレージ装置、ビデオ表示画面、少なくとも１つのカメラ、送信装置、受信装置、入力装置、電源、並びに、選択された活動を安全に文書化するべくビデオ及びスチール画像をウォーターマークを施す手段と、通信状態にある中央処理ユニットを有する携帯可能なハンドヘルド型のセキュリティ装置。
【請求項２６】
前記送信装置及び前記受信装置は、利用可能な通信ネットワーク信号間において選択し、所与の時点における最良の信号であるネットワーク信号を判定すると共に、前記利用可能な信号間において自動的に切り換わることによって最適な受信及び送信品質を維持する能力を有する請求項２５記載のセキュリティ装置。
【請求項２７】
前記入力装置は、ユーザーインターフェイス制御装置の第１の組と、ユーザーインターフェイス制御装置の第２の組と、を具備しており、前記ユーザーインターフェイス制御装置の第１及び／又は第２の組は、既定の期間内における意識的又は無意識的なユーザー選択に基づいて自動的に起動される請求項２５記載のセキュリティ装置。
【請求項２８】
前記セキュリティ装置は、手荷物バッグ内の高密度の物体を探知するべく使用可能である請求項２５記載のセキュリティ装置。
【請求項２９】
前記セキュリティ装置は、閉鎖された容器内の対象の物体を識別するべく使用可能である請求項２５記載のセキュリティ装置。
【請求項３０】
前記セキュリティ装置は、隠蔽された生命体を探知するべく使用可能である請求項２５記載のセキュリティ装置。
【請求項３１】
前記セキュリティ装置は、セキュリティ侵害に対処するべく使用可能である請求項２５記載のセキュリティ装置。
【請求項３２】
前記セキュリティ装置は、セキュリティロックアウトシステムを含む請求項２５記載のセキュリティ装置。
【請求項３３】
送信及び受信は、複数の無線ローカルネットワーク上において動作する能力を有する無線装置上において実行される請求項２５記載のセキュリティ装置。
【請求項３４】
送信及び受信は、インターネット接続上において実行される請求項２５記載のセキュリティ装置。
【請求項３５】
前記セキュリティ装置は、前記送信装置及び受信装置がイネーブルされるかどうかを操作する請求項２５記載のセキュリティ装置。
【請求項３６】
前記装置は、Ｍｉｌｉｔａｒｙ  Ｓｔａｎｄａｒｄ  ８１０Ｆに従って実行される試験を満足する請求項２５記載のセキュリティ装置。
【請求項３７】
前記セキュリティ装置のＭｉｌｉｔａｒｙ  Ｓｔａｎｄａｒｄ  ８１０Ｆに対する準拠を危うくすることのない少なくとも１つのＰＣＭＣＩＡポートを更に有する請求項２５記載のセキュリティ装置。
【請求項３８】
前記電源は、最大で８時間にわたって電荷を保持する能力を有する電池である請求項２５記載のセキュリティ装置。
【請求項３９】
前記セキュリティ装置は、デジタルフルモーションビデオ及びスチール画面画像のキャプチャ、記録、及びウォーターマークを施す処理を含む請求項２５記載のセキュリティ装置。
【請求項４０】
前記セキュリティ装置は、音響生成装置及び音響記録装置を含む請求項２５記載のセキュリティ装置。
【請求項４１】
前記セキュリティ装置は、バイオメトリックセンサを含む請求項２５記載のセキュリティ装置。
【請求項４２】
前記セキュリティ装置は、バーコード読取機能を含む請求項２５記載のセキュリティ装置。
【請求項４３】
前記セキュリティ装置は、ＲＦＩＤ読取装置及び問合せ装置を含む請求項２５記載のセキュリティ装置。
【請求項４４】
前記セキュリティ装置は、グローバルポジショニングシステムを含む請求項２５記載のセキュリティ装置。
【請求項４５】
前記セキュリティ装置は、マッピングシステムを含む請求項２５記載のセキュリティ装置。
【請求項４６】
前記ビデオ表示画面は、タッチスクリーンである請求項２５記載のセキュリティ装置。
【請求項４７】
前記ビデオ表示画面は、直接的なフリーハンドによる描画入力をサポートする請求項２５記載のセキュリティ装置。
【請求項４８】
前記セキュリティ装置は、２つのデジタルカメラを有しており、少なくとも１つのカメラは、赤外光において画像をキャプチャする能力を具備する請求項２５記載のセキュリティ装置。
【請求項４９】
前記レーダーは、超広帯域地中レーダーである請求項２５記載のセキュリティ装置。
【請求項５０】
前記レーダーは、ミリメートル波レーダーである請求項２５記載のセキュリティ装置。
【請求項５１】
前記レーダーは、超広帯域地中レーダー及びミリメートル波レーダーである請求項２５記載のセキュリティ装置。
【請求項５２】
前記装置は、選択的にフォームを生成するフォーム生成器を更に含む請求項２５記載のセキュリティ装置。
【請求項５３】
ハッキング、なりすまし、又はスキャニングを検出する手段を更に有する請求項２５記載のセキュリティ装置。
【請求項５４】
ＲＦＩＤ問合せ装置及び読取装置を更に有する請求項２５記載のセキュリティ装置。
【請求項５５】
メモリストレージ装置、ビデオ表示画面、少なくとも１つのカメラ、送信装置、受信装置、入力装置、電源、並びに、ＲＦＩＤ問合せ装置及び読取装置と、通信状態にある中央処理ユニットを有する携帯可能なハンドヘルド型のセキュリティ装置。
【請求項５６】
前記ＲＦＩＤ問合せ装置及び読取装置を使用することにより、ＲＦＩＤタグを有する人物又は物体を追跡する請求項５５記載のセキュリティ装置。
【請求項５７】
閉鎖された容器内の対象の物体を識別する方法において、
メモリストレージ装置、ビデオ表示画面、入力装置、電源、並びに、隠蔽された物体を探知するための超広帯域地中レーダー又はミリメートル波レーダーをもたらすと共に前記隠蔽された物体の画像を前記ビデオ表示画面上に生成する装置と、通信状態にある中央処理ユニットを具備した携帯可能なハンドヘルド型のセキュリティ装置を提供する段階と、
前記携帯可能なハンドヘルド型のセキュリティ装置を前記閉鎖された容器上において保持する段階と、
レーダーをもたらすべく前記装置を起動する段階と、
前記レーダーをもたらす装置によって生成された前記画像を前記ビデオ表示画面上に表示する段階と、
前記対象の物体の画像を検討する段階と、
を有する方法。
【請求項５８】
隠蔽された生命体を探知する方法において、
メモリストレージ装置、ビデオ表示画面、赤外線機能を具備した少なくとも１つのカメラ、入力装置、及び電源と、通信状態にある中央処理ユニットを具備した携帯可能なハンドヘルド型のセキュリティ装置を提供する段階と、
生命体が隠れている可能性があるエリアに前記カメラが対向した状態において前記携帯可能なハンドヘルド型のセキュリティ装置を保持する段階と、
前記カメラの赤外線機能を起動する段階と、
前記エリアを前記携帯可能なハンドヘルド型のセキュリティ装置によってスキャンし、前記カメラによって前記エリアの赤外線画像をキャプチャする段階と、
前記赤外線画像を前記ビデオ表示画面上に表示する段階と、
生命体によって生成された熱シグネチャについて前記赤外線画像を検討する段階と、
を有する方法。
【請求項５９】
セキュリティ侵害に対処する方法において、
対象の人物又は物品の画像を含む信号を送信する段階と、
中央処理ユニット、メモリストレージ装置、ビデオ表示画面、受信装置、入力装置、及び電源を具備した少なくとも１つの携帯可能なハンドヘルド型のセキュリティ装置を提供する段階と、
前記携帯可能なハンドヘルド型のセキュリティ装置のそれぞれにおいて前記信号を受信する段階と、
前記携帯可能なハンドヘルド型のセキュリティ装置上において前記画像を観察する段階と、
前記画像を使用して前記対象の人物又は物品を見つけ出す段階と、
を有する方法。
【請求項６０】
前記携帯可能なハンドヘルド型のセキュリティ装置を使用することにより、前記対象の人物又は物品のビデオ画像をキャプチャする段階と、
前記ビデオ画像を少なくとも１つの受信装置に送信することにより、前記対象の人物又は物品の同一性を確認する段階と、
を更に有する請求項５９記載の方法。
【請求項６１】
前記携帯可能なハンドヘルド型のセキュリティ装置を使用することにより、前記対象の人物又は物品のスチール画面画像をキャプチャする段階と、
前記スチール画面画像を少なくとも１つの受信装置に送信することにより、前記対象の人物又は物品の同一性を確認する段階と、
を更に有する請求項５９記載の方法。
【請求項６２】
前記受信装置の少なくとも１つは、携帯可能なハンドヘルド型のセキュリティ装置を含む請求項６１記載の方法。
【請求項６３】
携帯可能なハンドヘルド型のセキュリティ装置が危険に晒されることを防止する方法において、
コマンド及びコントロールセンタを具備したネットワークシステムを提供する段階と、
前記コマンド及びコントロールセンタと通信状態にある携帯可能なハンドヘルド型のセキュリティ装置を提供する段階であって、前記携帯可能なハンドヘルド型のセキュリティシステムは、メモリストレージ装置、少なくとも１つのカメラ、音響記録装置、送信装置、受信装置、入力装置、グローバルポジショニングシステム、及び電源と、通信状態にある中央処理ユニットを具備している、段階と、
前記携帯可能なハンドヘルド型のセキュリティ装置を使用して前記ネットワークシステムにログインする手段を提供する段階と、
前記ネットワークシステムにログインする前記手段に対して時間制限を適用する段階と、
前記ネットワークシステムにログインする前記手段が満足される前に、前記時間制限が満了した場合に、画像を生成するべく前記カメラを、音響を記録するべく前記音響記録装置を、そして、前記携帯可能なハンドヘルド型のセキュリティ装置を探知するべくグローバルポジショニングシステムを起動する段階と、
前記カメラによって生成された前記画像、前記マイクロフォンによって記録された前記音響、及び前記グローバルポジショニングシステムを使用して判定された前記セキュリティ装置の場所を前記コマンド及びコントロールセンタに対して送信する段階と、
を有する方法。
【請求項６４】
携帯可能なハンドヘルド型のセキュリティ装置によって第一対応者を追跡する方法において、
メモリストレージ装置、少なくとも１つのカメラ、表示画面、音響記録装置、送信装置、受信装置、グローバルポジショニング装置、入力装置、ＲＦＩＤ問合せ装置及び読取装置、並びに、電源と、通信状態にある中央処理ユニットを具備した携帯可能なハンドヘルド型のセキュリティ装置を提供する段階と、
ＲＦＩＤタグを第一対応者に提供する段階と、
前記携帯可能なハンドヘルド型のセキュリティ装置によって前記ＲＦＩＤタグから情報を遠隔読取する段階と、
前記ＲＦＩＤタグから入手した情報に基づいて前記携帯可能なハンドヘルド型のセキュリティ装置の前記表示画面上に前記第一対応者の場所を表示する段階と、
を有する方法。
【請求項６５】
疑わしい活動を文書化する方法において、
メモリストレージ装置、少なくとも１つのカメラ、表示画面、音響記録装置、送信装置、受信装置、グローバルポジショニング装置、クロック、入力装置、バイオメトリックセンサ、及び電源と、通信状態にある中央処理ユニットを具備したハンドヘルド型のセキュリティ装置を提供する段階と、
前記少なくとも１つのカメラを使用してビデオ又はデジタルスチール画像を撮影する段階であって、前記ビデオ又はデジタルスチール画像は、圧縮の前に前記未加工の画像に付加されたウォーターマークを具備している、段階と、
前記グローバルポジショニング装置を使用することにより、前記ビデオ又はデジタルスチール画像が撮影された場所を識別する段階と、
前記クロックを使用することにより、前記ビデオ又はデジタルスチール画像が撮影された時刻を識別する段階と、
を有する方法。
【請求項６６】
前記バイオメトリックセンサを使用することにより、拘束された人物の少なくとも１つの指紋を採取する段階と、
前記指紋を指紋データベースと比較する段階と、
を更に有する請求項６５記載の方法。
【請求項６７】
フォーム生成器を提供する段階と、
前記フォーム生成器を使用してフォームを生成し、前記ビデオ又はスチール画像、前記指紋、前記場所、及び前記時刻データを前記フォーム内にドロップする段階と、
関心を有する人物に対して前記フォームを選択的に配布する段階と、
を更に有する方法。
【請求項６８】
安全であって変更不能なデジタルビデオを生成する方法において、
カメラを使用して未加工のデジタルビデオフィルムを撮影する段階と、
前記未加工のビデオフィルムを撮影している最中に前記未加工のデジタルビデオフィルムにウォーターマークを施す段階と、
前記未加工のデジタルビデオフィルムを、許容可能なビデオ規格に圧縮する段階と、
を有する方法。
【発明の詳細な説明】
【技術分野】
【０００１】
本発明は、一般に、セキュリティシステムに関するものであり、更に詳しくは、セキュリティオペレーション（ｓｅｃｕｒｉｔｙ  ｏｐｅｒａｔｉｏｎ）を実行する方法及び装置に関するものである。
【背景技術】
【０００２】
現代世界においては、安全性及びセキュリティが主要な懸念事項である多数の場所が存在している。その主要な例が空港である。空港内において現在使用されているセキュリティシステムは、さもなければ航空機を危険に晒すことになるセキュリティリスクをもたらす人物又は物品が搭乗できないようにするべく、セキュリティチェックポイントにおける乗客及び手荷物のスクリーニングを含んでいる。又、セキュリティは、米国国境における主要な懸念事項でもあり、この場合には、米国税関・国境警備局の要員が、国家レベルのセキュリティリスクをもたらす物品について、到来したカーゴコンテナをスクリーニングするべく試みている。
【０００３】
現在の空港セキュリティシステムは、通常、セキュリティリスクをもたらす物品について手荷物及び乗客をスキャンするべく、大規模な固定された装置を必要としている。このプロセスは、時間を所要すると共に、柔軟性に乏しい。更には、手荷物バッグが空港内に遺棄された（忘れられるか又は意図的に放置された）場合に、空港のセキュリティ要員がそのバッグの内容物に関する情報を収集するための良い方法は、現時点においては、そのバッグを開けてその内容物を物理的に検査する以外に存在してはいない。従って、空港の要員は、しばしば、遺棄されたバッグを処理するべくバックアップ支援又は爆発物処理班を呼ぶか、或いは、Ｘ線及び制御された物理的検査のために、バッグを別の場所に移動させる必要がある。識別のためのスキャニング又はチェックを受けることなしに、誰かがセキュリティチェックポイントを通過した際には、別の問題が生じることになる。現時点においては、その人物を既存のセキュリティ装置及びシステムを使用して探し出すことは、非常に困難であり、その理由は、警備中のセキュリティ要員が、その人物を探し出すべく、しばしば、口頭による説明に依存しており、この口頭による説明が、不正確であったり、大まかであり過ぎたり、或いは、限定し過ぎていたりするためである。その人物が逮捕されない場合には、現在のガイドラインによれば、空港は、ターミナルの物理的な捜索が完了する時点まで、ターミナルを閉鎖し、飛行を一時的に停止させなければならない。
【０００４】
従って、安全性及びセキュリティが重要な場所で使用する更に完全なセキュリティシステム及び装置に対するニーズが存在している。本発明は、前述のセキュリティシステム及び装置に対する改善と、これらによって提起され、且つ、解決されてはいない問題点に対する解決策に関するものである。
【発明の開示】
【０００５】
本発明は、携帯可能なハンドヘルド型のセキュリティ装置を提供している。このセキュリティ装置は、好ましくは、メモリストレージ装置、任意の照明条件において判読可能なビデオ表示画面、少なくとも１つのカメラ、送信装置、受信装置、入力装置、電源、並びに、好ましくは、閉鎖された容器内の対象の物体などの隠蔽された物体を探知するためのレーダー信号を生成すると共に隠蔽された物体の画像をビデオ表示画面上に表示する装置と、通信状態にある中央処理ユニットを有している。更には、送信装置及び受信装置は、理想的には、利用可能な通信ネットワーク信号間において選択し、所与の時点において最良の信号であるネットワーク信号を判定すると共に、利用可能な信号間において自動的に切り換わることによって最適な受信及び送信品質を維持する能力を有している。更には、入力装置は、ユーザーインターフェイス制御装置の第１の組と、ユーザーインターフェイス制御装置の第２の組と、を具備しており、これらのユーザーインターフェイス制御装置の第１及び第２の組は、独立的に又は同時に、ユーザーによって選択的に操作可能である。
【０００６】
本セキュリティ装置は、理想的には、セキュリティロックアウトシステム、証拠となるようにいずれもウォーターマークが施されたデジタルフルモーションビデオ（２２〜３０フレーム／秒）及びスチール画面画像のキャプチャ、記録、及び処理機能、音響生成装置、音響記録装置、少なくとも１つのタイプのバイオメトリックスキャナ、バーコード読取機能、受動型又は能動型のＲＦＩＤ（Ｒａｄｉｏ  Ｆｒｅｑｕｅｎｃｙ  Ｉｄｅｎｔｉｆｉｃａｔｉｏｎ）読取装置及び問合せ装置、グローバルポジショニングシステム、マッピングシステム、フォーム生成器、及びその少なくとも１つが赤外光において画像をキャプチャする機能を含む２つのデジタルカメラを更に含んでいる。これらは、いずれも、好ましくは、Ｍｉｌｉｔａｒｙ  Ｓｔａｎｄａｒｄ  ８０１Ｆに従って実行される試験を満足する能力を有する環境シーリングされたケース内に維持されている。本発明のセキュリティ装置を使用することにより、例えば、手荷物バッグ内の高密度の物体を探知し、閉鎖された容器内の対象の物体を識別し、隠蔽された生命体を探知し、容疑者の同一性を検証し、混乱した状況において応答者を追跡し、疑わしい活動の検証可能な証拠を入手すると共に、セキュリティ侵害に対処可能である。又、本発明は、本発明の携帯可能なハンドヘルド型のセキュリティ装置を前述の目的に使用する方法をも有している。更には、本発明は、携帯可能なハンドヘルド型のセキュリティ装置が危険に晒されることを防止する方法をも有している。
【０００７】
本発明の様々なその他の特徴、目的、及び利点については、以下の詳細な説明及び添付の図面を参照することにより、当業者に明らかとなろう。
【発明を実施するための最良の形態】
【０００８】
次に、添付の図面を参照すれば、本発明の携帯可能なハンドヘルド型のセキュリティ装置１０は、理想的には、Ｉｎｔｅｌ（登録商標）Ｐｅｎｔｉｕｍ（登録商標）モバイルプロセッサなどのモバイル処理ユニットである中央処理ユニット１２を具備している。又、セキュリティ装置１０は、中央処理ユニット１２と通信状態にあるメモリストレージ装置１４をも含んでいる。メモリストレージ装置１４は、理想的には、図示のように、少なくとも、１ギガバイト（ＧＢ）と、４０ＧＢのハードディスク空間１５を含んでいる。又、セキュリティ装置１０は、セキュリティ装置１０及びそのすべてのコンポーネントに対して電力を供給するべく、好ましくは、それぞれの側部ハンドル内の２つの電池パックから構成された電源（図示されてはいない）をも含んでいる。これらの電池パックは、理想的には、それぞれが、一回の充電により、一度に数時間にわたって動作可能な状態に装置１０を維持するべく十分な電力を供給可能である充電式の電池である。又、電池パックは、好ましくは、本装置をシャットダウンすることなしに「ホットスワップ」可能である。
【０００９】
セキュリティ装置１０は、入力装置１６を更に含んでいる。入力装置１６は、理想的には、セキュリティ装置１０を操作すると共に情報をセキュリティ装置１０に入力するためのユーザーインターフェイス制御装置及びタッチスクリーン技術を含んでいる。入力装置１６のユーザーインターフェイス制御装置の少なくとも一部は、好ましくは、自動両手利き型（ａｕｔｏ−ａｍｂｉｄｅｘｔｒｏｕｓ）であり、従って、図２に示されているように、ユーザーインターフェイス制御装置の２つの組２２及び２４が存在している。ユーザーインターフェイス制御装置の第１の組２２及びユーザーインターフェイス制御装置の第２の組２４は、独立的に又は同時に、ユーザーによって選択的に操作可能である。換言すれば、ユーザーは、ユーザーインターフェイス制御装置の単一の組２２、２４を選択することにより、左又は右利きの傾向に対応し、且つ、もう１つのユーザーインターフェイス制御装置の組とは排他的に、並びに、独立的に、そのユーザーインターフェイス制御装置の組を使用可能であり、或いは、ユーザーが両手利きである場合には、ユーザーは、両方のユーザーインターフェイス制御装置の組２２、２４を選択し、且つ、両方の組を同時に使用可能である。好ましくは、セキュリティ装置１０は、ユーザーが最初に触れたユーザーインターフェイス制御装置の組２２、２４を検知し、そのユーザーインターフェイス制御装置の組をユーザーインターフェイス制御装置の主要な組として設定可能であり、これにより、ユーザーは、意識的に又は無意識に単一の制御装置の組を選択し、自身の左又は右利きの傾向に基づいて独立的に操作可能である。２秒などの既定の期間内に、ユーザーが両方の制御装置の組に触れた場合には、セキュリティ装置１０は、制御装置の組２２、２４の両方が同時に動作できるようにし、この結果、ユーザーは、入力中又は操作中において、いずれかの手を使用可能である。
【００１０】
又、セキュリティ装置１０は、中央処理ユニット１２と通信状態にあるビデオ表示画面１８をも含んでいる。このビデオ表示画面は、明るい日光を含む任意の照明状態において判読可能であり、これは、理想的には、タッチスクリーン技術をサポートする６．４’’のＬＣＤ画面である。タッチスクリーン技術１９によれば、ユーザーは、ビデオ表示画面１８に単に触れることにより、情報を入力したり、その他の方法によってセキュリティ装置１０を操作可能である。又、ビデオ表示画面１８は、好ましくは、直接的なフリーハンドによる描画入力をもサポートしており、これにより、ユーザーは、ビデオ表示画面１８上において直接的に書くか又は描画することにより、情報を入力可能である。例えば、ユーザーは、ビデオ表示画面１８上に表示された画像の周りに円を描画し、後から使用するか又はその他の者に配布するべく、この円を含む画像を保存可能であろう。又、ビデオ表示画面は、好ましくは、ピクチャインピクチャ（Ｐｉｃｔｕｒｅ−ｉｎ−ｐｉｃｔｕｒｅ）ディスプレイをサポートしている。又、ビデオ表示画面１８は、理想的には、インドア及びアウトドアにおける使用法の両方を促進するべく、日光を含む任意の照明条件において判読可能である。
【００１１】
又、ビデオ機能をセキュリティ装置１０に提供するべく、中央処理ユニット１２と通信状態にある少なくとも１つのカメラ３８が提供されている。理想的には、セキュリティ装置１０は、２つのデジタルカメラ３８を具備しており、スチール画像及びフルモーション（２２〜３０フレーム／秒）ビデオ画像の両方をキャプチャ可能であり、且つ、１〜９０フレーム／秒で再生可能である。又、好ましくは、パニング、ズーミング、早送り、巻き戻し、再生、及びポーズ機能がセキュリティ装置１０によってサポートされている。カメラ３８の少なくとも１つは、理想的には、赤外光において動作可能であり、カメラの少なくとも１つは、理想的には、正常及び低光状態において動作可能である。正常光、低光、及び赤外光において撮影された写真を同一のフルモーションビデオ画像内にミキシング可能であり、或いは、ユーザーは、画像をキャプチャする際に、正常光、低光、及び赤外光モード間において切り換え可能である。それぞれのカメラは、理想的には、少なくとも１．８メガピクセルの分解能を具備しており、理想的には、最大で８時間のフルモーションビデオをセキュリティ装置１０内に保存可能である。又、本発明のビデオ機能は、好ましくは、少なくとも１つのＭＰＥＧ（Ｍｏｔｉｏｎ  Ｐｉｃｔｕｒｅ  Ｅｘｐｅｒｔｓ  Ｇｒｏｕｐ）エンコーダ及びデコーダ５８、６０をも含んでいる。
【００１２】
又、好ましくは、カメラ３８の少なくとも１つは、バーコード読取装置５２として機能することも可能である。バーコード及びＵＰＣコードを読み取るべく使用することも可能な携帯可能なハンドヘルド型のビデオ及びスチールカメラを具備する能力は、同一のものを実現するために２つ又は３つの装置に依存している従来システムと比べて多大な利点である。
【００１３】
又、セキュリティ装置１０は、中央処理ユニット１２と通信状態にある送信装置２６及び受信装置２８をも含んでいる。送受信装置２６、２８は、理想的には、高周波（ＲＦ）無線ネットワークカードなどの無線装置３０、又はＥｔｈｅｒｎｅｔ（登録商標）ケーブル接続などの有線装置３２を使用して情報を安全に送受信可能である。セキュリティ装置１０と共に、８０２．１１ａ／ｂ／ｇ、８０２．１１  ”ｓｕｐｅｒ  ｇ”、８０２．１５．３ａ、ＧＳＭ／ＧＰＲＳ（Ｇｌｏｂａｌ  Ｓｙｓｔｅｍ  ｆｏｒ  Ｍｏｂｉｌｅ  Ｃｏｍｍｕｎｉｃａｔｉｏｎｓ  ａｎｄ  Ｇｅｎｅｒａｌ  Ｐａｃｋｅｔ  Ｒａｄｉｏ  Ｓｅｒｖｉｃｅ）、３Ｇ、超広帯域、Ｂｌｕｅｔｏｏｔｈ（登録商標）、及びＣＤＭＡ  １Ｘを含む多くの異なる無線ローカルエリアネットワーク（ＷＬＡＮ）を使用可能であるが、これらに限定されるものではない。又、セキュリティ装置１０は、音声及びデータの送受信のために４００／９００ＭＨｚ及び５．８ＧＨｚの高周波をもサポート可能である。更には、セキュリティ装置１０は、理想的には、無線装置３０を使用することにより、利用可能な通信ネットワーク信号間において選択し、所与の時点における最良の信号であるネットワーク信号を判定すると共に、利用可能な信号間において自動的に切り換わることによって最適な送受信品質を維持する能力を有している。例えば、セキュリティ装置１０は、理想的には、様々なネットワークカードの受信信号強度を計測するミドルウェアを具備しており、且つ、ユーザーが特定の供給源への「ロックイン」を選択していない限り、最良の信号を選択可能である。セキュリティ装置１０が、ＲＦ無線ネットワークカードを使用して起動し、干渉に遭遇した場合には、ユーザーが変更の実行について気付くことなしに、別の無線伝送モードにシームレスに切り換え可能である。又、セキュリティ装置１０は、送受信装置２６、２８をイネーブルするかどうかを操作することも可能である。換言すれば、セキュリティ装置１０は、スタンドアロンユニットとして動作することも可能である。好ましくは、スタンドアロンユニットとして動作している際には、セキュリティ装置１０は、認証可能な無線又は有線ネットワークを継続的に探している。このようなネットワークが探知された場合には、セキュリティ装置１０は、好ましくは、対応するネットワークサーバーとの間においてパスコード及び情報を交換することにより、スタンドアロンからネットワーク動作に遷移する。
【００１４】
セキュリティ装置１０は、中央処理ユニット１２と通信状態にある超広帯域地中レーダー３４及びミリメートル波レーダーを形成する装置を更に含んでいる。理想的には、セキュリティ装置１０は、更に低パワーで更に小規模なバージョン又はミリメートル波レーダーにおいて動作するように変更された超広帯域地中レーダーユニットを使用している。従来の超広帯域地中レーダーユニットは、通常、パイプ、樹木の根、及び考古学的な人工遺物などの地中に埋設された物品について地面を非破壊検査するべく使用されている。又、地中レーダーは、橋や鉄道などのコンクリート構造物の内部構造を検査するべく、一般に使用されている。本発明の超広帯域地中レーダーユニット３４は、閉鎖された非金属容器内の対象の物品などの隠蔽された物体の探知及び識別に使用するべく意図されている。例えば、超広帯域地中レーダーユニット３４を使用することにより、空港において手荷物の内容物を非破壊検査が可能であろう。ミリメートル波レーダーを使用することにより、米国税関・国境警備局の港を通じて米国内に到来するカーゴコンテナの内容物を非破壊検査可能である。このような検査は、セキュリティリスクをもたらしうる物品などの対象の物品について手荷物又はカーゴコンテナの内容物を検査するための効率的な方法を提供している。超広帯域地中レーダーユニット３４は、理想的には、検査対象であるコンテナ又はその他の物品から５メートル以内において動作可能であり、且つ、理想的には、コンテナ又はその他の物品内に最大で１０メートルだけ貫通可能である。グローバルポジショニングシステム４４及び送受信装置２６、２８などのその他のＲＦ源は、好ましくは、超広帯域地中レーダーユニット３４の動作の影響を受けることはない。
【００１５】
又、セキュリティ装置１０は、好ましくは、ＲＦＩＤ（Ｒａｄｉｏ  Ｆｒｅｑｕｅｎｃｙ  Ｉｄｅｎｔｉｆｉｃａｔｉｏｎ）問合せ装置及び読取装置５０をも含んでいる。このような装置は、その特性が一般的に受動型である。しかしながら、本発明に問合せ装置及び読取装置５０の両方を提供することにより、対応するＲＦＩＤを装備した人物及び物体の追跡を提供可能である。
【００１６】
又、理想的には、多くのその他の装置及び機能を本発明のセキュリティ装置１０内に包含可能である。好ましくは、スピーカーなどの音響生成装置４０と、マイクロフォンを含むデジタル音響レコーダなどの音響記録装置４２と、を含むオーディオ機能が含まれている。好ましくは、グローバルポジショニングシステム４４、マッピングシステム、ＮＩＳＴ（Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ）によって承認された指紋センサを含むバイオメトリックスキャナ４８、ヘッドセット及びプリンタ用のＢｌｕｅｔｏｏｔｈ（登録商標）ＲＦリンク５１、バーコード読取機能５２、４つのＵＳＢ（Ｕｎｉｖｅｒｓａｌ  Ｓｅｒｉａｌ  Ｂｕｓ）ポート５３、Ｅｔｈｅｒｎｅｔ（登録商標）ポート、及びソフトウェア認証システムも、セキュリティ装置１０内に提供されている。更には、セキュリティ装置１０は、好ましくは、ペンに基づいた拡張機能（ｐｅｎ  ｂａｓｅｄ  ｅｘｔｅｎｓｉｏｎ）を有するＭｉｃｒｏｓｏｆｔ（登録商標）ＸＰオペレーティングシステムに基づいて稼動すると共に、音声、データ、ビデオ会議、電子メール、Ｍｉｃｒｏｓｏｆｔ（登録商標）Ｏｆｆｉｃｅ（登録商標）ファイル、Ｍｉｃｒｏｓｏｆｔ（登録商標）ＸＰオペレーティングシステムの下において又はこの上において動作する任意のソフトウェア、フォーム生成、及び文書スキャニングをサポートする完全なパーソナルコンピュータ（ＰＣ）である。但し、本発明のセキュリティ装置１０は、Ｌｉｎｕｘ（登録商標）、ＭａｃＯＳ、Ｓｏｌａｒｉｓ、及びＵｎｉｘ（登録商標）を含む任意のオペレーティングシステム上において稼動するべく構成することも可能であることを理解されたい。
【００１７】
本発明の前述の特徴のすべては、理想的には、Ｍｉｌｉｔａｒｙ  Ｓｔａｎｄａｒｄ  ８０１Ｆに従って実行される試験を満足するべく十分に丈夫であって、防水性を有しており、且つ、−３０〜＋５０℃の動作温度範囲を有する実質的にすべての天候条件及び気候に耐えることが可能な軽量でハンドヘルド型のハウジング５６内に収容されている。但し、本発明は、好ましくは、ハウジング５６の環境シーリングの完全性を危うくすることのない「ブリスターパック」構成５５におけるＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠した複数のポート５４を提供している。
【００１８】
又、セキュリティ装置１０の全体は、理想的には、非常に軽量であり、好ましくは、電池を含んで２．５〜４ポンドである。ハンドヘルド型で軽量の無線セキュリティ装置１０は、容易に携帯可能であり、且つ、片手又は両手を使用して操作可能である。セキュリティ装置１０は、例えば、運搬セキュリティ、運搬作業、企業セキュリティ、教育セキュリティ、第一対応組織（ｆｉｓｔ  ｒｅｓｐｏｎｄｅｒ  ｏｒｇａｎｉｚａｔｉｏｎ）、政府機関、国防省、及び国土安全保障省の要員による容易な携行及び使用が可能である。
【００１９】
本発明のセキュリティ装置は、いくつかの方法において、且つ、いくつかの目的に、使用可能であり、従って、本発明は、セキュリティ装置を使用する様々な方法をも有している。本発明は、限定されはしないが、例えば、空港における手荷物バッグ又は米国税関・国境警備局の港におけるカーゴコンテナなどの閉鎖された容器内の対象の物体を識別する方法と、セキュリティを侵害した人物又はその他の容疑者などの隠蔽された生命体を探知する方法を有している。本発明が意図している別の重要な方法は、限定されはしないが、空港におけるセキュリティ侵害などのセキュリティ侵害に対処する方法である。以下、例を使用し、これらの方法について更に説明する。
【００２０】
（例Ｉ：閉鎖された容器内の対象の物体の識別）
閉鎖された容器内の対象の物体を識別する機能は、重要なセキュリティ上の課題である。例えば、空港のセキュリティ要員は、しばしば、遺棄された手荷物バッグを見つけることになる。遺棄された手荷物バッグは、爆弾などの非常に深刻なセキュリティリスクをもたらす物品を収容可能であるため、空港の要員は、このような手荷物を非常に慎重に取り扱う必要がある。現在、空港の要員は、遺棄されたバッグを取り扱うべく、そのバックをピックアップして移動させるか、空港の内外からバックアップ支援を呼ぶか、又は爆発物処理班を呼ぶ、という３つの選択肢を具備している。これらの現在の選択肢の中のいずれにおいても、空港の要員は、事前にバッグの内容物について知ることなしに、決定を下さなければならない。
【００２１】
しかしながら、本発明のセキュリティ装置を使用することにより、空港の要員は、超広帯域地中レーダーによってバッグをスキャンし、レーダーによって生成された画像をリアルタイムで観察することにより、対象又は懸念の物体、特に、高密度の物体が、バッグ内に存在しているかどうかをチェック可能であろう。高密度の物体が存在していない場合には、空港の要員は、Ｘ線撮影及び物理的な検査を実行するべく、そのバッグをピックアップし、別の場所に移動させることができよう。高密度の物体が存在している場合には、対象又は懸念の物体がバッグ内に存在しているということであるため、空港の要員は、バックアップ支援を呼ぶか、又は爆発物処理班を呼ぶ必要があることを知ることになろう。支援が到着したら、支援要員が、レーダーによって生成された画像を観察し、その結果、最良の処理方法を決定するための追加情報を彼らに付与可能である。
【００２２】
これと同じシナリオは、その他の運搬センタ、オフィスビル、商業及び社会的な集会、スポーツイベント、教育施設、発電所、及び病院を含むその他の場所においても発生可能であろう。これらのいずれかの場所における要員は、類似した状況において使用するべく、本発明のセキュリティ装置を容易に携行可能であろう。又、セキュリティ装置のこの使用法は、米国税関・国境警備局の港における対象又は懸念の物体に関するカーゴコンテナの非破壊検査においても、特に有用である。
【００２３】
（例ＩＩ：隠蔽された生命体の探知）
隠蔽された生命体の探知も、重要なセキュリティ手段であろう。例えば、容疑者が、従来の観察装置によっては観察不能である壁の背後や建物のコーナーの周辺において追跡者から隠れようと試みる場合があるが、本発明のセキュリティ装置によれば、そのカメラの少なくとも１つの赤外線機能を使用することにより、隠れている容疑者を観察可能である。赤外線モードのカメラにより、ユーザーは、容疑者が隠れている可能性のあるエリアをスキャンし、そのエリアの赤外線画像をキャプチャ可能である。容疑者、又は任意のその他の生命体が存在している場合には、この赤外線画像は、通報用の熱シグネチャ（ｈｅａｔ−ｓｉｇｎａｔｕｒｅ）を生成することになる。従って、容疑者がコーナーの周辺に隠れていた場合には、コーナーエリアの赤外線カメラ画像は、生命体がコーナーの近傍にいたことを通知する熱シグネチャを示すことになろう。本セキュリティ装置のこの機能は、隠れている人物又はその他の生命体の探知が望ましい任意の状況において使用可能であろう。
【００２４】
（例ＩＩＩ：セキュリティ侵害に対する対処）
セキュリティ侵害に対して十分に対処可能であることが、すべての保護された場所におけるセキュリティ要員の不可欠な機能である。例えば、ほとんど毎日、世界中のどこかの空港において、誰かが、停止することなしにセキュリティチェックポイントを歩いて通過することにより、空港のセキュリティシステムを侵害している。現在、このようなセキュリティ侵害が発生した際には、通常、侵害した人物の写真をセキュリティカメラによってキャプチャしている。空港のセキュリティ要員が侵害の発生を認識した際には、通常、彼らは、普通は空港内のチャイムを鳴らすか又は選択されたライトをフラッシュさせることにより、メッセージを空港内の残りのセキュリティ要員に対して送信し、侵害について彼らに警告している。次いで、セキュリティコマンド及びコントロールセンタが、通常は、双方向無線により、侵害した人物についてセキュリティスタッフ全員に対して説明することになる。しかしながら、空港内のいくつかの場所は、双方向無線信号を十分に受信することができない可能性があり、従って、何人かのセキュリティ要員が説明を完全に逃す可能性があろう。更には、侵害した人物に関する口頭の説明は、視覚的な説明や実際の写真とは異なり、正確でなかったり、或いは、大まかすぎたり、又は限定し過ぎていたりする可能性があり、この結果、空港のセキュリティ要員が、侵害した人物を見出して逮捕することが困難になる可能性がある。侵害した人物が逮捕されない場合には、物理的な捜索を実行できるように、連邦航空局及び／又は運輸安全局により、空港ターミナルの閉鎖が要求されることになる。この手順は、数時間にわたって空港ターミナルを閉鎖することになり、収入における数億ドルの損失をもたらすと共に、数百のフライトを遅延させることにもなる。
【００２５】
しかしながら、空港のセキュリティ要員が本発明によるセキュリティ装置を携行している場合には、侵害した人物を迅速に見つけ出して逮捕することが格段に容易であろう。例えば、セキュリティカメラからの写真を、セキュリティコマンド及びコントロールセンタから、すべてのセキュリティ要員が携行しているセキュリティ装置に対して送信可能であろう。この結果、すべてのセキュリティ要員は、口頭による説明に依存する代わりに、侵害した人物の実際の写真を閲覧可能であろう。又、セキュリティコマンド及びコントロールセンタからのみならず、任意の場所において撮影された侵害した人物の写真をセキュリティ要員が参照できるように、すべてのセキュリティ要員が携行しているセキュリティ装置に対してセキュリティカメラからのビデオ供給内容を直接的に送信することも可能であろう。更には、写真の人物のように見える人物をセキュリティ要員が見つけた場合に、セキュリティ要員は、セキュリティ装置を使用して写真を撮影し、その写真をコマンド及びコントロールセンタ及び／又はセキュリティ装置を携行しているその他の要員に対して送信し、正しい人物を見つけたことを確認することも可能であろう。又、セキュリティ装置のバイオメトリックスキャナを使用することにより、セキュリティ要員は、その人物に対して指紋を提供するように求めることも可能であり、セキュリティ装置は、これをＮＩＳＴサーバーに送信し、その人物が、手配されている人物であることを検証可能であろう。
【００２６】
（例ＩＶ：疑いのある活動の文書化）
潜在的な犯罪行為を伴う状況においては、その活動に関与している一人又は複数の人物を捕らえることが第１の問題であり、法廷において有罪を獲得することが第２の問題である。このような問題の原因の１つは、証拠の特性を中心としたものである。大部分の状況において、証拠は、その信憑性について攻撃を受けることになる「旧態依然」とした人間による証言又はビデオ又はスチール写真の形態を有している（例えば、デジタル画像は、相対的に簡単なソフトウェアにアクセス可能な人物により、実質的に追跡不能な方式によって変更可能である）。又、加害者とされている人物の身元の検証可能性に伴う問題点も存在している。本発明を使用することにより、セキュリティ及び法執行要員は、疑いのある行為の検証可能なデジタルビデオ及びスチール写真を撮影し、積極的な識別を実行すると共に、適切な事務書類を急いで生成する能力を具備している。
【００２７】
本発明のユーザーが、疑いのある活動に従事している人物を察知した場合には、その人物のデジタルスチール画像を撮影可能である。本発明を使用して画像を撮影する際には、ウォーターマークを写真に付加している。一般的な圧縮アルゴリズムを適用する（例えば、写真をｊｐｇ、ｔｉｆ、又はｇｉｆフォーマットに圧縮する）前に、未加工の画像にウォーターマークを付加するのである。スチール画像にウォーターマークを提供することにより、画像は、変更不能となり、且つ、法廷における証拠として有用なものとなる。ウォーターマークを有していない場合には、デジタル画像は、Ｐｈｏｔｏｓｈｏｐなどのソフトウェアプログラムを使用する操作の影響を受け易い。この結果、法廷における証拠として通常のデジタル画像に依存することは、多くの場合に困難である。
【００２８】
監視対象の行為の特性が能動的なものである場合には、ビデオを撮影する能力が有益であろう。本発明によってデジタルビデオを撮影する際には、ウォーターマークも付加している。好ましくはＨ２６３規格の未加工のデジタルフィルムを本発明のカメラの中の１つによって撮影している。この未加工のフィルムを撮影する際に、ウォーターマークを施しているのである。その後、そのビデオを、好ましくは、ｍｐｅｇフォーマットに圧縮している。この方法は、圧縮の最中又は圧縮の後にウォーターマークを施している従来技術によるウォーターマーキングシステムと比べて大きな改善である。このような「その最中又はその後におけるウォーターマーキング」は、ある程度のセキュリティ及び信頼性の対策を提供してはいるが、本方法における絶対的なセキュリティ及び信頼性を欠いている。スチール画像と同様に、このウォーターマークの存在により、ビデオは、変更不能となり、且つ、その適用方式に起因し、法廷において実質的にゆるぎないものとなる。
【００２９】
許容可能なビデオ及び／又はスチール画像によって疑いのある活動をキャプチャ可能であることに加え、様々なその他の検証及び文書化を実行可能である。組み込まれているＧＰＳシステムを使用することにより、疑いのある活動の場所を、その活動の正確な時刻と共に、正確に識別及び記録可能である。尋問されるか又はその他の方法によって拘留されている人物の指紋をバイオメトリックスキャナを使用して即座に採取可能であり、且つ、これらの指紋を、認可された要員のオンボードデータベース又はインターネット又はその他のネットワークを介して無線でアクセス可能なリモートデータベースと比較可能である。
【００３０】
組み込まれているフォーム生成器を使用することにより、指紋、デジタルスチール画像、場所、及び時間データ、並びに、これらに類似したもののすべてを既存の又は新規に生成されたフォーム内にドロップ可能である。このようなフォームにより、逮捕及び事件報告書の作成作業が簡単且つ容易なものとなる。又、この結果、疑いのある人物及び活動に関する関連情報が、疑いのある人物又は活動に関する背景又はその他の情報を提供可能な人物間において迅速に回付される可能性も高くなる。
【００３１】
（例ＶＩ：第一対応者（ｆｉｒｓｔ  ｒｅｓｐｏｎｄｅｒ）の追跡）
法執行及び災害状況における問題点の１つは、消防士、警察官、爆発物処理班、及びこれらに類似した者の配備状況の追跡である。誰かが負傷したり、罠にかかったり、或いは、行方不明になった場合には、時間が重要になる。本発明は、ＲＦＩＤ機能を提供することにより、このような状況における人物又は物体の追跡を実現している。例えば、一意のコードを有するＲＦＩＤタグをそれぞれの消防士及び警察官に対して付与可能である。同様のタグを、武器、爆発物、及び救出装置に付与可能である。危害が一人又は複数の人物に及ぶと思われる（例えば、建物の一部が崩壊する寸前である）状況においては、本発明により、ユーザーは、それぞれのタグが付与された人物又は装置に対して特定の危険性について警告するか、或いは、彼らが安全を確保できない場合には救出を実行するべく、それぞれのタグが付与された人物又は装置を識別及び探知可能である。これは、能動的なＲＦＩＤを使用して人物又は物体を探知及び識別し、それらをグラフィカルに又はその他の方式でハンドヘルド型装置の画面上に表示することにより、実現される。
【００３２】
又、本発明の能動的なＲＦＩＤシステムを使用することにより、対象の手荷物又はその他の物品を内密に追跡することも可能である。小さなＲＦＩＤタグを物品上に配置可能であり、その場所を本発明のハンドヘルド型の装置を介して監視可能である。従って、タグが付与された手荷物が想定外の場所に位置している場合には、その事実を即座に察知し、その移動履歴を辿ることが可能である。
【００３３】
本発明は、セキュリティロックアウトシステムを使用することにより、セキュリティ装置が危険に晒されることを防止する方法を更に有している。装置が危険に晒されることを防止することは、本装置の重要な機能であり、この理由は、これにより、使用を認可された者のみが本装置を使用可能であることが保証されるためである。理想的には、保護された場所におけるセキュリティ要員用のコマンド及びコントロールセンタは、認可された人物に対して、セキュリティ装置にログインする又は認証するための時間制限を提供することになろう。その認可された人物がログイン又は認証する前に、時間制限が満了した場合には、セキュリティ装置上の表示画面は、理想的には、暗転し、「スタンバイしてください」などの害のないメッセージが表示されることになる。理想的には、マイクロフォン、音響記録装置、カメラ、及びグローバルポジションニングシステム又はその他の場所センサが起動され、これにより、セキュリティコマンド及びコントロールセンタは、セキュリティ装置を探知すると共に、そのセキュリティ装置が記録するすべてのものを観察及び聴取可能であり、この結果、不正な意図を有する人物が本装置を取得した場合に、彼らが知らない間に、彼らの活動を監視可能である。
【００３４】
本発明の一部であるソフトウェアを使用することにより、本発明が使用されているネットワークの管理者、並びに、ハンドヘルド型の装置を使用している人物は、本装置又はネットワークを欺いたり、スキャンしたり、又はハッキングする試みを判定可能である。この検出システムは、このような特性の攻撃が検出された際に、２つの基本的な選択肢を提供している。第１の選択肢は、その攻撃を識別し、それを停止させるというものである。但し、その攻撃が、既知の又は推測された供給源から到来していると考えられる場合には、ソフトウェアは、本物のシステムにアクセスしていると攻撃者が思うように、その攻撃者を欺くことが可能である。このような場合には、偽情報を提供することにより、攻撃者を欺いたり、又はその他の方法で窮地に陥れることが可能である。
【００３５】
以上、好適な実施例を参照し、本発明について説明したが、本発明は、前述の特定の実施例に限定されるものではないことを理解されたい。当業者であれば、本発明の精神又は意図を逸脱することなしに、特定の置換、変更、変形、及び省略を実行可能であることを認識されたい。従って、以上の説明は、例示を目的としたものに過ぎず、本発明の範囲を制限するものではなく、本発明は、本発明の主題のすべての適正な等価物を包含するものと解釈されたい。
【図面の簡単な説明】
【００３６】
【図１】本発明の装置の好適な実施例を示すブロックダイアグラムである。
【図２】本発明の装置の好適な実施例の正面斜視図である。
【図３】本発明の装置の好適な実施例の背面斜視図である。
【図４】本発明の装置の好適な実施例の側面図である。
【図１】
2009500743.tif 000002
2009500743.tif 000003
2009500743.tif 000004
2009500743.tif 000005
2009500743.tif 000006
【国際調査報告】
2009500743.tif 000007